(57)【要約】【課題】    電気配線などの特別な工事を必要とせず置くだけで簡単に設置できる防犯・報知装置を提供すること。【解決手段】  本考案は人などが踏むことにより気体を圧縮する部分と圧縮された気体が吹き込まれることにより音響を発する部分とで構成される。【選択図】    図４
0003114785.tif 000002
【実用新案登録請求の範囲】
【請求項１】
人などの重さが加わる事により生成される気体の流れによって音響を発することを特徴とする防犯・報知装置。
【請求項２】
人などの重さが加わる事により生成される気体の流れによって音響を発する構造物を複数個有することを特徴とする防犯・報知装置。
【請求項３】
人などの重さが加わる事により生成される気体の流れによって音響を発する構造物１個以上と音響を発しない構造物とを組み合わせてあることを特徴とする防犯・報知装置。
【考案の詳細な説明】
【考案の詳細な説明】
【技術分野】  本考案における防犯・報知装置とは使用方法、使用目的により防犯用警報装置として又来客などの訪問を知らせる報知装置として使用できるものを称する。本考案は加重により生成される空気その他の気体の流れを利用して音響を発することを主な特徴とする手軽に設置可能で且つ設置場所の変更が容易な防犯・報知装置並びにこの防犯・報知装置と音響を出さない構造物であるマットのような敷物やその他の物を組み合わせた形態の防犯・報知装置に関するものである。
【背景技術】  従来の防犯用警報装置や来客などの訪問を知らせる報知装置は赤外線等の光センサー、フラッシュ光、電気を利用したものが主である。これらの装置を設置するには特別の配線工事を要し設置費用が高額である等の難点がある。窓が開くと警報音を発するタイプの防犯用警報装置もあるが、この場合窓が破壊された後でないと警報音が鳴らず窓の修理等に多額の費用を要する。また防犯用警報装置を設置している場所が侵入者に簡単に判明し防犯の目的を達しない場合がある。従来、加重により生成される空気のながれを利用して音響を発する玩具等が知られているが、その形状が防犯・報知装置に適さないのみならず発せられる音量が小さかったり、屋外で使用すると埃や雨水等が侵入し音響を発しなくなる等の問題があり、そのままでは防犯用警報装置や来客などの訪問を知らせる報知装置には利用できない。
【本考案が解決しようとする課題】
従来、玩具等で知られている加重により生成された空気の流れを利用し音響を発する構造物を防犯・報知報装置に応用する場合にはその形状、発せられる音量、埃や雨水等の侵入などの問題点がある。本考案の目的はこれらの問題点を解決し電気配線等の特別な工事を必要とせず簡単に設置でき且つ設置場所の変更が容易な防犯・報知装置を提供することにある。
【課題を解決するための手段】
本考案は人が本考案の装置の上を踏んだりまたは上に乗ったりすることにより空気などの気体が圧縮され、この圧縮された気体の流れにより弁等が振動することにより音響を発することを特徴とするものであり、この音響を発する構造物と音響を発しない構造物であるマットのような敷物やその他の物を組み合わせることも可能なのである。
本考案者は気体圧縮部の容積を大きくすることにより発せられる音量を大きくし、また埃や雨水等が侵入し難い構造にすることによって従来の人の加重で生成された圧縮空気により音響を発する玩具等の構造物をそのまま応用する場合の難点を解決し比較的安価で簡単に設置可能な防犯用警報装置としても又来客などの訪問を知らせる報知装置としても使用できる防犯・報知装置を完成した。
【考案を実施するための最良の形態】  図１の（ａ）および（ｄ）は音響を発する部分の一例を示したものである。図１において（ａ）の▲３▼、▲４▼はそれぞれ（ｂ）の▲１▼，▲２▼に対応しており（ｃ）は（ａ）の断面図であり（ａ）の▲１▼の方向から▲２▼の方向へ空気等の気体が流れるとき▲４▼が振動し音響を発する。図１の（ｄ）においては▲２▼の方向から▲３▼の方向へ空気等の気体が流れるとき▲１▼が振動し音響を発する。  本考案に使用する音響を発する部分として図１（ａ）および（ｄ）に示したのはほんの一例でありこれにこだわる必要はなく、これ以外にも例えばいわゆるホイッスルのような構造のものでもよし、空気等の気体が流れる事により音響を発するものであればその他の形態のものであってもよいのである。以下音響を発する部分のことを「笛」と称する事とする。本考案において密閉型の構造物の場合には、その内部の気体は窒素ガスでも空気その他の気体でもよいのである。人等の重さが加わり空気等の気体が圧縮される部分の材質は耐久性があり弾力性があるものが望ましい。以下、本考案の実施例を添付図面に基づき説明する。なお以下の実施例に示しているものはほんの数例であって空気などの気体が流れることにより音響を出す構造、形状であればこれらに限定されることはないのである。
【実施例】［実施例  １］
図１は本考案の実施例を説明するための全実施例に共通の図であり、図２は本考案の実施例１を説明するための図である。
図２（ａ）において▲１▼を人が踏むと▲１▼の内部の空気等の気体が圧縮され▲１▼の内部に設置されている▲２▼の笛が音響を出す。図２（ｂ）において▲１▼は蛇腹状の構造をしており▲１▼を人が踏むと▲１▼の内部の空気等の気体が圧縮され▲１▼の内部に設置されている▲２▼の笛が音響を出す。図２の（ａ），（ｂ）における▲２▼は図１の（ａ）もしくは（ｄ）のようなものでもよいし、気体が流れることにより音響を発するものであれば他のものでもよいのである。また図２（ａ），（ｂ）において▲２▼の笛は▲１▼の中に１個もしくは複数個設置してもよいのである。図２（ａ），（ｂ）における▲３▼の部分は埃などが内部に侵入するのを防ぐためのものでスポンジ状のものである。なお▲３▼はスポンジ状のものにこだわる必要はなく埃などの侵入が防げるものであれば他の形態のものであってもよいのである。なお、ここに例示した装置を玄関マットやその他の音響を発しない構造物と組み合わせた形態のものでもよいのである。図２（ａ），（ｂ）の▲１▼および▲３▼の形はほんの一例でありこれらにこだわる必要はなく、例えば六角柱状のものでもよいし、その他の形態のものであってもよいのである。
［実施例  ２］
図３および図４は本考案の実施例２を説明するための図である。図３，図４において▲１▼，▲２▼の内部は空洞状でありそれぞれ隔壁で仕切られた構造になっており▲３▼は笛である。空洞状の部分▲１▼，▲２▼には空気，窒素ガスなどの気体が入っている。図３においては▲１▼の部分を不審者などが踏むと▲３▼の笛が音響を発する。図４においては図２（ａ），（ｂ）に示した構造物もしくは図２（ａ），（ｂ）の構造物から図２（ａ），（ｂ）の▲３▼を取り除いた構造物が図４の▲１▼の内部に設置されている。図４においては▲１▼の部分を不審者などが踏むと▲３▼の笛が音響を発するが▲２▼の部分は踏んでも音響は発しない。図３，４において踏むと音響を発する部分▲１▼と踏んでも音響を発しない部分▲２▼の数や割合は任意であってよいのである。図３，図４に示した形態はほんの一例でありこれらにこだわる必要はなく人などが踏むと音響を発する構造であれば他の形態であってもよいのである。また、ここに例示した装置を玄関マットやその他の音響を発しない構造物と組み合わせた形態のものであってもよいのである。
［実施例  ３］
図５は本考案の実施例３を説明するための図である。図５（ａ）において▲１▼の内部は空洞状になっており▲１▼を人が踏むと内部の空気が圧縮され、圧縮された空気が▲２▼のパイプを通って▲４▼の内部に設置された▲５▼の笛に達し音響を発する。▲４▼は笛を収容するためのものであり必ずしも必要ではない。▲３▼の部分は必ずしも必要ではないが図５（ｂ）または（ｃ）のような構造になっていてもよいのである。図５（ｂ）における▲７▼は図５（ａ）の▲２▼のパイプであり▲６▼は▲７▼の外側に設置された円筒状の部品である。▲６▼と▲７▼には▲８▼に示したような穴があいており▲６▼を回して▲６▼の穴と▲７▼の穴が同一位置になった状態の場合には▲１▼を人などが踏んでも▲５▼の笛は音響を発しないかもしくは音響を発しても音量は小さくなるのである。▲６▼，▲７▼の穴はそれぞれ複数個あってもよいのである。図５（ｃ）において▲９▼は図５（ａ）の▲２▼であり▲１０▼のような穴が設けられている。図５の（ｃ）の▲１１▼は貫通した穴を有するコックであり▲１１▼を回して▲１１▼のコックの穴と▲９▼に設けられている▲１０▼の穴が同一位置にあるときは図５の（ａ）の▲１▼を人などが踏んだ時▲１▼で圧縮された空気は▲５▼の笛に流れないので音響を発しない。  図５に示したのはほんの一例でありこの形態に限定されることなく空気圧縮部と音響発生部が離れた形態であれば他の形態であってもよいのである。また、この装置と音響を発しないマットやその他のものとを組み合わせた形態のものであってもよいのである。図５（ａ）の▲３▼の部分を図５（ｂ）もしくは（ｃ）のような構造にしておくと警報音もしくは報知音が必要でない場合に図５（ａ）の▲１▼を人などが踏んでも音響を発しないかもしくは発する音響を小さくするように操作出来る利点がある。図５（ａ）の形態のものは不審者や来訪者が踏む▲１▼から離れた場所に音響を発する笛▲５▼を設置することが可能である。
【考案の効果】
以上に述べたように、本考案によれば電気配線などが不要であり設置方法も簡単で且つ構造的にも比較的簡単な防犯用警報装置として、また来訪者を知らせる報知装置としても使用可能な装置を提供する事が出来るのである。さらに本考案の装置は簡単に設置場所が変更できるなど実用性に優れた効果を奏するものである。
【図面の簡単な説明】
【図１】  （ａ）本考案全実施例に共通な音響を発生させる笛の構造の一例を示す参考図  （ｂ）図１（ａ）における▲３▼▲４▼の部品を示す参考図  （ｃ）図１（ａ）の断面図  （ｄ）本考案全実施例に共通な音響を発生させる（ａ）とは異なる笛の構造の一例を示す参考図
【図２】  （ａ）（ｂ）本考案実施例１の防犯・報知装置を示す参考図
【図３】  本考案実施例２の防犯・報知装置を示す参考図
【図４】  本考案実施例２の防犯・報知装置を示す参考図
【図５】  （ａ）本考案実施例３の防犯・報知装置を示す参考図  （ｂ）（ｃ）図５（ａ）の▲３▼の部分の構造を示す参考図
【図１】
0003114785.tif 000003
【図２】
0003114785.tif 000004
【図３】
0003114785.tif 000005
【図４】
0003114785.tif 000006
【図５】
0003114785.tif 000007